【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
被成形品を積載したパレットを一の搬送方向に沿って搬送する搬送手段と、
前記搬送手段により搬送された前記パレット上の前記被成形品をトリミング加工エリア内の第１の位置でトリミング加工するプレス型を備えるトリミング手段と、
前記パレットに対する前記プレス型の位置を決める位置決め手段と、
前記プレス型と前記パレットとの前記搬送方向における相対的な位置を変更することにより、前記プレス型が前記被成形品をトリミング加工する前記トリミング加工エリア内の位置であって前記第１の位置とは異なる第２の位置に前記プレス型または前記パレットを移動させる位置切り替え手段と、を有し、
前記搬送装置は、複数のフィンガー部が設けられた往復動自在なシャトル部材を含むシャトル式搬送装置を有し、
前記複数のフィンガー部は、前記複数のフィンガー部のうちの一のフィンガー部が前記パレットに引っ掛かり、前記シャトル部材の移動により前記パレットが搬送される前記パレットへの係合、および前記一のフィンガー部の前記パレットへの引っ掛かりが解除され、前記シャトル部材が前記パレットに対して移動できる前記パレットからの脱離が可能であり、
前記位置切り替え手段は、前記シャトル部材上に設けられており、前記プレス型に対して予め定められた位置に前記複数のフィンガー部を移動させるトリミング装置。
【請求項２】
前記位置切り替え手段の作動を制御し、前記パレットの位置を前記第１の位置と前記第２の位置との間で切り替えることにより、前記トリミング手段を用いて前記被成形品上に第１のトリム形状と第２のトリム形状とをそれぞれ形成する制御手段をさらに有する請求項１に記載のトリミング装置。
【請求項３】
前記位置切り替え手段は、前記パレットを搬送している間に、前記一のフィンガー部を移動させる請求項１に記載のトリミング装置。
【請求項４】
前記パレットは、前記一のフィンガー部が引っ掛かる溝部を備え、
前記一のフィンガー部は、回動することによって、前記係合および前記脱離が可能である請求項１〜３のいずれか１つに記載のトリミング装置。
【請求項５】
前記パレットの搬送経路に設けられ前記位置切り替え手段を作動させるリミットスイッチと、
前記パレットに取り付け可能なスイッチ作動部と、をさらに有し、
前記パレットに取り付けられた前記スイッチ作動部は、前記リミットスイッチを作動させることにより前記位置切り替え手段を作動させる請求項１〜４のいずれか１つに記載のトリミング装置。
【請求項６】
前記位置決め手段は、前記パレットに形成されるロケート穴と、前記パレットの搬送経路に設けられ前記ロケート穴に係合および係合解除が可能なロケートピンと、を有し、
前記位置切り替え手段は、前記パレットを搬送する方向に沿う複数の位置に前記ロケートピンを移動する請求項１〜５のいずれか１つに記載のトリミング装置。
【請求項７】
前記位置決め手段は、前記搬送方向に沿って前記パレットに形成されるストッパ係合溝と、前記ストッパ係合溝に係合および係合解除が可能なストッパと、前記ストッパ係合溝の前記搬送方向に沿う末端部に形成され前記ストッパに突き当てる当接面と、を有し、
前記位置切り替え手段は、前記ストッパ係合溝の前記搬送方向に沿う長さを異ならせることにより構成されている請求項１〜５のいずれか１つに記載のトリミング装置。
【請求項８】
前記位置決め手段は、前記搬送方向に沿って複数個設けられ前記パレットに係合および係合解除が可能なストッパを有し、
前記位置切り替え手段は、前記複数個のストッパのうち前記パレットに係合させるストッパを選択することにより構成されている請求項１〜５のいずれか１つに記載のトリミング装置。
【請求項９】
前記位置決め手段は、前記プレス型が載置され前記搬送方向に沿って移動可能なスライドテーブルと、前記スライドテーブルの移動方向に沿って複数個設けられ前記スライドテーブルに係合および係合解除が可能なストッパと、を有し、
前記位置切り替え手段は、前記複数個のストッパのうち前記スライドテーブルに係合させるストッパを選択することにより構成されている請求項１〜５のいずれか１つに記載のトリミング装置。
【請求項１０】
前記被成形品は、板状の電極素材が電池本体から外部に引き出された電池であって、前記電極素材をトリミング加工することにより正負の電極部が形成されてなる請求項１〜９のいずれか１つに記載のトリミング装置。
【請求項１１】
被成形品を積載したパレットを一の搬送方向に沿ってトリミング加工エリアへ搬送する工程と、
前記トリミング加工エリア内に配置されたプレス型に対する前記パレットの位置を決める工程と、
前記プレス型に対して予め定められた前記トリミング加工エリア内の第１の位置、または前記プレス型に対して予め定められた前記トリミング加工エリア内の位置であって前記第１の位置とは異なる第２の位置に前記パレットを移動させる工程と、
移動後の前記パレット上の前記被成形品を前記プレス型を用いてトリミング加工することにより、前記パレットが前記第１の位置にある場合には前記被成形品に第１のトリム形状を形成し、前記パレットが前記第２の位置にある場合には前記被成形品に第２のトリム形状を形成する工程と、
前記パレットを前記トリミング加工エリアから搬出する工程と、
前記被成形品をトリミング加工した後であって前記パレットを前記トリミング加工エリアから搬出する前に前記トリミング加工エリア内の他の位置に対する前記プレス型の位置を変更する工程と、
前記パレットを前記トリミング加工エリアから搬出する前に前記プレス型を用いて前記被成形品の２回目のトリミング加工を行うことにより、前記他の位置が前記第１の位置である場合は前記被成形品に前記第１のトリム形状を形成し、前記他の位置が前記第２の位置である場合は前記第２のトリム形状を形成する工程と、を有するトリミング方法。
【手続補正２】
【補正対象書類名】明細書
【補正対象項目名】０００６
【補正方法】変更
【補正の内容】
【０００６】
上記目的を達成するための発明は、被成形品を積載したパレットを一の搬送方向に沿って搬送する搬送手段と、
前記搬送手段により搬送された前記パレット上の前記被成形品をトリミング加工エリア内の第１の位置でトリミング加工するプレス型を備えるトリミング手段と、
前記パレットに対する前記プレス型の位置を決める位置決め手段と、
前記プレス型と前記パレットとの前記搬送方向における相対的な位置を変更することにより、前記プレス型が前記被成形品をトリミング加工する前記トリミング加工エリア内の位置であって前記第１の位置とは異なる第２の位置に前記プレス型または前記パレットを移動させる位置切り替え手段と、を有し、
前記搬送装置は、複数のフィンガー部が設けられた往復動自在なシャトル部材を含むシャトル式搬送装置を有し、
前記複数のフィンガー部は、前記複数のフィンガー部のうちの一のフィンガー部が前記パレットに引っ掛かり、前記シャトル部材の移動により前記パレットが搬送される前記パレットへの係合、および前記一のフィンガー部の前記パレットへの引っ掛かりが解除され、前記シャトル部材が前記パレットに対して移動できる前記パレットからの脱離が可能であり、
前記位置切り替え手段は、前記シャトル部材上に設けられており、前記プレス型に対して予め定められた位置に前記複数のフィンガー部を移動させるトリミング装置である。
【手続補正３】
【補正対象書類名】明細書
【補正対象項目名】０００７
【補正方法】変更
【補正の内容】
【０００７】
また、上記目的を達成するための発明は、被成形品を積載したパレットを一の搬送方向に沿ってトリミング加工エリアへ搬送する工程と、
前記トリミング加工エリア内に配置されたプレス型に対する前記パレットの位置を決める工程と、
前記プレス型に対して予め定められた前記トリミング加工エリア内の第１の位置、または前記プレス型に対して予め定められた前記トリミング加工エリア内の位置であって前記第１の位置とは異なる第２の位置に前記パレットを移動させる工程と、
移動後の前記パレット上の前記被成形品を前記プレス型を用いてトリミング加工することにより、前記パレットが前記第１の位置にある場合には前記被成形品に第１のトリム形状を形成し、前記パレットが前記第２の位置にある場合には前記被成形品に第２のトリム形状を形成する工程と、
前記パレットを前記トリミング加工エリアから搬出する工程と、
前記被成形品をトリミング加工した後であって前記パレットを前記トリミング加工エリアから搬出する前に前記トリミング加工エリア内の他の位置に対する前記プレス型の位置を変更する工程と、
前記パレットを前記トリミング加工エリアから搬出する前に前記プレス型を用いて前記被成形品の２回目のトリミング加工を行うことにより、前記他の位置が前記第１の位置である場合は前記被成形品に前記第１のトリム形状を形成し、前記他の位置が前記第２の位置である場合は前記第２のトリム形状を形成する工程と、を有するトリミング方法である。
【手続補正４】
【補正対象書類名】明細書
【補正対象項目名】００２１
【補正方法】変更
【補正の内容】
【００２１】
パレット１０上に被成形品５を載置して搬送手段２０により搬送し、プレス型６１、６２に対するパレット１０の停止位置を変えて、被成形品５とプレス型６１、６２との相対的な位置を、切り替えて（すなわち、トリミング加工エリア内の第１の位置と、第１の位置とは異なるトリミング加工エリア内の第２の位置との間で切り替えて）、位置決めする。本実施形態では、上述したように、ＬＭガイド４の両側方に互い違いにプレス型６１、６２が固定配置されているので、上記位置切り替え手段５０はパレット１０の位置切り替え位置決めを行う。
【手続補正５】
【補正対象書類名】明細書
【補正対象項目名】００２５
【補正方法】変更
【補正の内容】
【００２５】
図６を参照して、シリンダ（進退手段）５２のピストンロッド５４を進退移動させてパレット１０の位置を切り替えることにより、左右対称の異なるトリミング形状を成形することができる。つまり、プレス型６１においては、ピストンロッド５４を進退移動させることにより、プレス型６１に対するパレット１０の停止位置を変え、２種類のトリム形状（すなわち、第１のトリム形状および第２のトリム形状）を設定できる（図６（Ａ））。プレス型６２においても同様に、ピストンロッド５４を進退移動させることにより、プレス型６２に対するパレット１０の停止位置を変え、２種類のトリム形状（すなわち、第１のトリム形状および第２のトリム形状）を設定できる（図６（Ｂ））。トリム形状の組み合わせにより、電極形状が異なる４種類のリチウムイオン二次電池を得ることが可能となる。